(57)【要約】      （修正有）【課題】専門業者のセンターを介さず、個人がいかなる場所からも自分の監視したい拠点を監視できる経済的且安全なシステムを提供する。【解決手段】携帯電話端末と公衆電気通信回線を使うことによって、安全且経済的に専門業者などのセンターを経由することなくいかなる場所においても個人が監視場所からの監視信号をモニターでき、また電話回線を通じて監視場所の警報装置を起動し侵入者などに威嚇警報を出力できるシステムに関する技術である。【選択図】図−１
2006236293.tif 000002
【特許請求の範囲】
【請求項１】
各種センサーと各種警報装置を接続する制御システムとこれに繋がる携帯電話端末および携帯電話端末が接続する公衆電気通信回線とこれに接続されるリモートの固定電話端末或は携帯電話端末で構成されるシステムにおいて
【請求項２】
各種センサーからの信号により起動された制御装置が予めプログラムされた指令によってこれに繋がる携帯電話端末を自動で起動し、予めセットされた公衆電気通信回線に繋がるリモートの電話端末を呼び出し、リモート電話端末に各種センサー情報を通知する。
【請求項３】
リモート電話端末のプッシュボタン信号を公衆電気通信回線を通じ、接続された携帯電話端末及びこれに繋がる制御装置に伝送し、制御装置はプッシュボタン信号を識別し、予めプログラムされた指令に基づき警報装置を起動し警報を出力するシステム
【発明の詳細な説明】
【技術分野】
【０００１】本発明は、家屋や屋外などの要監視エリアをいかなるリモートの場所からも監視し、警報装置を操作できる技術である。
【技術背景】
【０００２】従来の技術は、要監視エリアに設置した各種センサなどを専用回線やインターネット等で中央の監視センターに接続し監視する方式であった。監視センターには専門の人手或は専用のインターネットサーバが必要であった。
【０００３】本発明は要監視エリアに携帯電話端末を設置することによって、リモートにある固定電話端末或は携帯電話端末と要監視エリアに設置した各種センサや警報装置を公衆電気通回線を通じ接続する事を特徴とし、センターを経由することなくリモートの電話端末から直接監視・操作が可能となることを特徴とする。
【発明の開示】
【発明が解決しようとする課題】
【０００４】従来の技術では監視センター（人手或は専用サーバ）が必要であり、専門知識や経験が無ければシステムの設置・運用が出来ないという制約があった。【０００５】また、要監視エリアには専用回線やインターネット回線が接続できなければならないと言う条件があるため、屋外や移動体では大きな利用制限があり、インターネットへの新たな加入が必要となる場合もあるなどの制約があった。
【課題を解決するための手段】
【０００６】本発明は要監視エリアに携帯電話端末を設置して、リモートの電話端末と公衆電気通信回線を通じて接続することによって監視や警報の操作を行うことを特徴とする。リモートからの監視と操作は公衆電気通信回線の音声帯域やデータ帯域を通じ、音声や画像、プッシュボタン信号などにより行う。
【発明の効果】
【０００７】  本発明により、要監視エリアが携帯電話サービスエリアにあれば、屋内、屋外、移動体を問わず監視可能となり、従来よりはるかに広範囲のエリアの監視が可能となる。【０００８】さらに、装置の設置・運用には専門知識や経験がほとんど要求されず、個人が簡単に監視システムを利用することが出来、セキュリティシステムの普及が促進される。【０００９】リモートからの監視は、電話がかけられる場所であれば何処からでも監視と警報装置の操作が直接可能となり、従来は実現不可能であった海外旅行先などからでも自宅の監視が可能となるなど、使い勝手が飛躍的に向上する。
【発明を実施するための最良の形態】
【００１０】図−１はシステム全体の最良の構成を示す。１は監視に必要な各種センサ、例えば動体検知の赤外線センサ、音を監視する音響センサ、振動センサ、或は侵入検知センサ、画像モニター等のセンサ及び各種警報装置、たとえばアラームベル、サイレン、照明、拡声器などを携帯電話端末  ２に接続し、携帯電話端末を予めセットされた動作モードで自動制御してリモートの携帯電話や固定電話端末との間に通話路を設定し、各種センサの情報をリモート端末に伝え、またリモート端末からの制御によって各種警報装置を起動する機能を持つ制御装置である。
２は携帯電話端末であり、通常は一般の通話用携帯電話端末ではなく所謂装置組み込み型として市販されている組み込み型の携帯端末である。
３は携帯電話が繋がれる公衆電気通信回線である。４は公衆電気通信回線につながる、固定電話端末あるいは携帯電話端末である。【００１１】図−２は各種センサ信号の流れを示す。各種センサが信号を検知すれば、制御装置１は予めプログラムされた指令に従って、携帯電話端末２に対し、セットされた電話番号を自動ダイヤルして公衆電気通信回線につながるリモートの固定電話或は携帯電話端末を呼び出す。
リモート端末が応答すれば制御装置２は予めプログラムされた指令に随い、メールや、音声信号によって検知したセンサからの情報を画像や、文字或は音声によって通知する。【００１２】図−３はリモート端末からの操作によって各種警報装置を制御する流れを示す。リモート端末４は押下されたプッシュボタン信号を公衆電気通信回線３を通じて携帯電話端末２及びこれに繋がる制御装置１に伝送する。制御装置１はプッシュボタン信号を識別し、予めプログラムされた指令に随い、警報装置を起動して定められた警報出力を発生させる
【実施例１】
【００１３】家庭における簡単な侵入アラーム及びこの警報システムの実施例を図−４に示す。外出時に制御装置の電源をオンにしておく。侵入センサが侵入を検知すると制御装置が起動し、予めセットしてある自分のリモート携帯電話端末に自動的にメールを送る。リモート電話端末で応答すれば、送られてきたメールにより侵入センサが作動したことがわかる。直ちに特定のプッシュボタンを押下して拡声器をオンにし、電話にて誰何すれば拡声器からその声が増幅されて侵入者に聞こえるため、侵入者は退散する。さらに、リモート電話からダイヤルにより警察に通報することも出来る。侵入センサの変わりに画像センサを設置すれば、様子を見ながら誰何することも可能である。制御装置と携帯電話端末は、予め一体として装置化されており、制御装置には、侵入センサ、拡声器などの接続端子が予めいくつか設けられており、必要なセンサや警報機を購入すれば所要のシステムを構築できるようになっているため、安価に且要求に応じたシステムを簡単に作ることが出来る．リモート電話端末には特別の加工をしないため、全世界何処にある電話機でもリモート端末として利用できる。
【実施例２】
【００１４】農作物の監視システムの実施例を図−５に示す。田畑は電源や、インターネット回線の接続が不可能な場合が多いが、本システムでは電池のみ用意すればよい。赤外センサが動物を検知すれば制御装置がリモート端末を呼び出す。監視人は自宅において睡眠していても電話のベルにより呼び起こすことが出来る。送られてくる画像によって侵入物体が人か獣かあの判定が出来、必須に応じプッシュボタンの操作によってサイレンを鳴動し侵入物体を追い払う。また直ちに電話で仲間を応援に呼び出すことも出来る。
【図面の簡単な説明】
【００１５】図−１  システム構成図
図−２  各種センサー信号の流れ
図−３  各種警報制御の流れ
図−４  家庭のセキュリティ監視・警報の実施例
図−５  農作物の監視・警報の実施例
【図−１】
2006236293.tif 000003
【図−２】
2006236293.tif 000004
【図−３】
2006236293.tif 000005
【図−４】
2006236293.tif 000006
【図−５】
2006236293.tif 000007